(57)【要約】【課題】  観測対象以外のＶＯＲ装置からのＶＯＲ信号を受信した場合でも、モニタ性能を劣化させることなくＶＯＲ信号のモニタが可能なＶＯＲ信号モニタ装置及びそのモニタ方法を提供すること。【解決手段】  ＶＯＲ信号モニタ装置は、受信したＶＯＲ信号に局部発振器２２からのローカル周波数を混合させて周波数変換する。そして、周波数変換されたＶＯＲ信号をフィルタ２３に通過させることにより、観測対象であるＶＯＲ装置１の輻射周波数に対応する周波数成分のＶＯＲ信号を抽出する。モニタ受信部３０は、抽出されたＶＯＲ信号を信号復調し、この信号に基づいてＶＯＲ装置１からのＶＯＲ信号をモニタする。【選択図】      図１
2009058481.tif 000002
【特許請求の範囲】
【請求項１】
被観測ＶＯＲ（VHF Omnidirectional Radio Range）装置からＶＯＲ周波数帯内の予め決められた周波数で輻射されるＶＯＲ信号をモニタするＶＯＲ信号モニタ装置において、
前記ＶＯＲ周波数帯の到来電波を受信する受信アンテナと、
前記受信アンテナの受信信号から前記被観測ＶＯＲ装置の輻射周波数に相当する周波数成分のＶＯＲ信号を同調検波する同調検波手段と
を具備し、
前記同調検波手段で得られたＶＯＲ信号をモニタすることを特徴とするＶＯＲ信号モニタ装置。
【請求項２】
前記同調検波手段は、任意の周波数のローカル信号を生成する信号生成手段と、前記受信アンテナの受信信号に前記ローカル信号を混合して周波数変換する周波数変換手段と、この手段で周波数変換された信号から前記ＶＯＲ輻射周波数に相当する周波数成分を抽出する抽出手段とを具備し、前記ローカル信号を前記被観測ＶＯＲ装置の輻射周波数に対応する周波数に調整することで前記同調検波を行うことを特徴する請求項１記載のＶＯＲ信号モニタ装置。
【請求項３】
被観測ＶＯＲ（VHF Omnidirectional Radio Range）装置からＶＯＲ周波数帯内の予め決められた周波数で輻射されるＶＯＲ信号をモニタするＶＯＲ信号モニタ装置に用いられるＶＯＲ信号モニタ方法において、
前記ＶＯＲ周波数帯の到来電波を受信し、
前記受信した信号から前記被観測ＶＯＲ装置の輻射周波数に相当する周波数成分のＶＯＲ信号を同調検波し、
前記同調検波の結果得られたＶＯＲ信号をモニタすることを特徴とするＶＯＲ信号モニタ方法。
【請求項４】
前記被観測ＶＯＲ装置の輻射周波数に対応する周波数信号を前記受信した信号に混合して周波数変換し、
周波数変換された信号から前記ＶＯＲ輻射周波数に相当する周波数成分を抽出することで前記同調検波を行うことを特徴する請求項３記載のＶＯＲ信号モニタ方法。
【発明の詳細な説明】
【技術分野】
【０００１】
本発明は、ＶＯＲ装置から輻射されるＶＯＲ信号をモニタするＶＯＲ信号モニタ装置とＶＯＲ信号モニタ方法に関する。
【背景技術】
【０００２】
一般に、航空機に基準点磁北からの方位情報を与える装置として、ＶＯＲ装置が使用されている。ＶＯＲ装置のアンテナからは、１０８ＭＨｚ〜１１８ＭＨｚのいずれかの周波数のＶＯＲ信号が輻射される。航空機は、搭載された受信器によりこのＶＯＲ信号を受信することで、受信地点における基準点磁北に対するＶＯＲ装置からの方位を把握している（例えば、特許文献１参照。）。
【０００３】
ところで、ＶＯＲ装置から輻射されるＶＯＲ信号は、安定した出力の維持のため、ＶＯＲ信号モニタ装置でモニタされている。従来のＶＯＲ信号モニタ装置では、受信したＶＯＲ信号を、通過帯域が１０８ＭＨｚ〜１１８ＭＨｚである帯域制限フィルタに通過させ、得られた信号をモニタしていた。
【０００４】
しかしながら、従来のＶＯＲ信号モニタ装置では、その帯域制限フィルタの通過帯域が１０８ＭＨｚ〜１１８ＭＨｚであるため、観測対象であるＶＯＲ装置が送信するＶＯＲ信号に加え、他のＶＯＲ装置が送信するＶＯＲ信号を干渉波として受信してしまうおそれがある。これにより、ＶＯＲ信号モニタ装置では、観測対象となるＶＯＲ信号の近傍周波数に存在する干渉波の影響で、そのモニタ性能が劣化するという問題があった。
【特許文献１】特開平２−２４５８６号公報
【発明の開示】
【発明が解決しようとする課題】
【０００５】
以上のように、従来のＶＯＲ信号モニタ装置では、観測対象以外のＶＯＲ装置から輻射されるＶＯＲ信号を受信することにより、そのモニタ性能が劣化してしまっていた。
【０００６】
そこで、本発明の目的は、観測対象以外からのＶＯＲ信号を受信した場合でも、モニタ性能を劣化させることなくＶＯＲ信号のモニタが可能なＶＯＲ信号モニタ装置及びそのモニタ方法を提供することにある。
【課題を解決するための手段】
【０００７】
上記目的を達成するため、本発明は、被観測ＶＯＲ（VHF Omnidirectional Radio Range）装置からＶＯＲ周波数帯内の予め決められた周波数で輻射されるＶＯＲ信号をモニタするＶＯＲ信号モニタ装置において、前記ＶＯＲ周波数帯の到来電波を受信する受信アンテナと、前記受信アンテナの受信信号から前記被観測ＶＯＲ装置の輻射周波数に相当する周波数成分のＶＯＲ信号を同調検波する同調検波手段とを具備し、前記同調検波手段で得られたＶＯＲ信号をモニタする。
【０００８】
また、被観測ＶＯＲ（VHF Omnidirectional Radio Range）装置からＶＯＲ周波数帯内の予め決められた周波数で輻射されるＶＯＲ信号をモニタするＶＯＲ信号モニタ装置に用いられるＶＯＲ信号モニタ方法において、前記ＶＯＲ周波数帯の到来電波を受信し、前記受信した信号から前記被観測ＶＯＲ装置の輻射周波数に相当する周波数成分のＶＯＲ信号を同調検波し、前記同調検波の結果得られたＶＯＲ信号をモニタする。
【０００９】
上記構成によるＶＯＲ信号モニタ装置及びＶＯＲ信号モニタ方法は、ＶＯＲ周波数帯の電波を受信し、この受信信号から被観測ＶＯＲ装置が輻射するＶＯＲ信号成分のみを同調検波するようにしている。これにより、被観測ＶＯＲ装置以外から輻射されるＶＯＲ信号の影響を低減することが可能となる。
【発明の効果】
【００１０】
以上のように本発明によれば、観測対称以外のＶＯＲ装置からのＶＯＲ信号を受信した場合でも、ＶＯＲ信号を安定してモニタすることが可能なＶＯＲモニタ装置及びそのモニタ方法を提供することができる。
【発明を実施するための最良の形態】
【００１１】
以下、図面を参照しながら本発明の実施の形態について詳細に説明する。
【００１２】
図１は、本発明の一実施形態に係るＶＯＲ信号モニタ装置の機能構成を示すブロック図である。なお、図１では、観測対象となるＶＯＲ装置１のみを記載しているが、ＶＯＲ信号モニタ装置の周囲にはＶＯＲ装置１以外のＶＯＲ装置も存在しているものとする。各ＶＯＲ装置が輻射するＶＯＲ信号の周波数は、１０８ＭＨｚ〜１１８ＭＨｚの周波数帯内から割り当てられている。
【００１３】
図１に示すＶＯＲ信号モニタ装置において、各ＶＯＲ装置から輻射されるＶＯＲ信号は、モニタ受信アンテナ１０で受信される。受信されたＶＯＲ信号は、周波数同調部２０で同調検波され、ＶＯＲ装置１の輻射周波数に相当する周波数成分のＶＯＲ信号となる。モニタ受信部３０は、同調検波されたＶＯＲ信号を受信すると、信号復調を施し、その信号に基づいてＶＯＲ装置１における磁北とＶＯＲ信号モニタ装置の設置方向とのなす角度θ（方位）を測定する。図２に、本発明に係るモニタ受信部３０がＶＯＲ装置１における磁北とＶＯＲ信号モニタ装置の設置方向とのなす角度θ（方位）を測定するときの様子を説明するための概念図を示す。
【００１４】
上記周波数同調部２０において、モニタ受信アンテナ１０で受信されたＶＯＲ信号は、ミキサ２１で局部発振器２２からのローカル信号と混合されて周波数変換される。周波数変換されたＶＯＲ信号は、フィルタ２３で帯域制限され、ＶＯＲ装置１の輻射周波数に相当する周波数成分のＶＯＲ信号となる。
【００１５】
上記フィルタ２３は、その通過帯域がＶＯＲ信号１波分の狭帯域に設定されている。また、上記局部発振器２２は、任意の周波数のローカル信号を生成することが可能である。そのため、ＶＯＲ装置１の輻射周波数が変更されても、ローカル信号の周波数を調整することで、ＶＯＲ装置１のＶＯＲ信号の同調検波が可能となる。
【００１６】
以上のように、上記一実施形態におけるＶＯＲ信号モニタ装置は、受信したＶＯＲ信号を周波数変換し、周波数変換したＶＯＲ信号からＶＯＲ装置１の輻射周波数に相当する周波数のＶＯＲ信号のみを抽出するようにしている。これにより、近傍周波数に存在するＶＯＲ信号の影響を低減することが可能となるため、干渉波信号レベルを抑圧することができ、干渉波によるモニタ性能の劣化を低減することが可能となる。
【００１７】
したがって、上記構成によるＶＯＲ装置モニタ装置は、モニタ性能の劣化が低減されるためＶＯＲ装置１のモニタ動作を安定させることができ、ＶＯＲ装置１の安定運用に寄与することができる。
【００１８】
なお、この発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００１９】
【図１】本発明に係るＶＯＲ信号モニタ装置の一実施形態の構成を示すブロック図。
【図２】上記実施形態に係るモニタ受信部がＶＯＲ装置における磁北とＶＯＲ信号モニタ装置の設置方向とのなす角度（方位）を測定するときの様子を説明するための概念図。
【符号の説明】
【００２０】
１…ＶＯＲ装置、１０…モニタ受信アンテナ、２０…周波数同調部、２１…ミキサ、２２…局部発振器、２３…フィルタ、３０…モニタ受信部。
【図１】
2009058481.tif 000003
【図２】
2009058481.tif 000004